【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  左右外側面部に入力接栓又は出力接栓がそれぞれ設けられ、前面が開口された箱状のケース本体と、その前面を開閉可能に覆う蓋体とを備え、前記ケース本体の上下左右両側部又は上下中央部に被取付部が形成され、前記被取付部のうち下側に位置する被取付部に対し蓋体の取付部が、蓋体を上開き可能となるように取り付けられ、前記被取付部及び取付部は前記蓋体に対し前記ケース本体を上下逆に取付可能となるように対称に設けられている電子機器用ケースのヒンジ構造において、
前記被取付部と取付部とはヒンジ部材を介して取り付けられる構成とされ、
前記ヒンジ部材が、前記被取付部に取り付けられる取付基部と、この取付基部の一端部より直交する方向に延びる支持部とを有し、この支持部が、取付基部に連接され長孔を有する本体部と、この本体部に連接され半円板形状の先端部とで構成され、
前記本体部の長孔にスライド可能に挿通される係合ピン部が前記取付部に形成され、
前記係合ピン部は、前記長孔内において、蓋体の外周縁部が前記本体部に接触して蓋体の開放が規制される位置と、蓋体の外周縁部が前記先端部の外周縁に沿って移動可能となり蓋体の開放を許容する位置とを選択的に取りうることを特徴とする電子機器用ケースのヒンジ構造。
【請求項２】  前記ケース本体の被取付部には長孔が形成されると共に、外方に突出する係止部が先端に形成され、
前記ケース本体の被取付部のうち上側に位置する被取付部に前記長孔を通じて締結部材にてメッセンジャーワイヤ取付具が傾斜可能に取り付けられ、このメッセンジャーワイヤ取付具の先端係止部と被取付部の係止部とによってそれらの間にメッセンジャーワイヤを係止可能である構成とされる請求項１記載の電子機器用ケースのヒンジ構造。
【請求項３】  前記ケース本体の被取付部のうち上側に位置する被取付部にメッセンジャーワイヤ取付具が設けられ、
前記メッセンジャーワイヤ取付具は、前記被取付部に設けられる断面Ｌ字形状の第１の部材と、この第１の部材の水平部に締結部材にて取付部が取り付けられ前記第１の部材との間にメッセンジャーワイヤを挟んで固定する第２の部材とを有し、
この第２の部材は、さらに、前記取付部の一側に前記第１の部材の端縁に引っ掛かって係止される係止部と、取付部の他側に連接され前記第１の部材との間にメッセンジャーワイヤを挟む挟持部とを有する請求項１に記載の電子機器用ケースのヒンジ構造。
【手続補正２】
【補正対象書類名】明細書
【補正対象項目名】０００２
【補正方法】変更
【補正の内容】
【０００２】
【従来の技術】
一般に、ＣＡＴＶアンプ用ダイカストケース（電子機器用ケース）は、左右外側面部をそれぞれ入力接栓又は出力接栓が設けられ前面が開口された箱状のケース本体と、その前面を開閉可能に覆う蓋体とを備える。そのようなダイカストケースは、メッセンジャーワイヤに取り付けた状態で、蓋体が上開き可能となるように、前記ケース本体の上下左右両側部に取付座（被取付部）が形成され、前記被取付部のうち下側に位置する被取付部に対し蓋体の取付座（取付部）を回転可能に取り付けている（例えば特許文献１参照）。また、現場でＣＡＴＶアンプを設定する際に、取付場所によってケースへの入力側が左側であったり右側であったりして、左右で異なる場合がある。そのような場合に、設備の入力側及び出力側に応じて入力接栓又は出力接栓の向きを変更するために、ケース本体を前記蓋体に対し上下逆に取付可能となるように前記被取付部及び取付部は対称に設けられている。
【手続補正３】
【補正対象書類名】明細書
【補正対象項目名】０００７
【補正方法】変更
【補正の内容】
【０００７】
【課題を解決するための手段】
請求項１の発明は、左右外側面部に入力接栓又は出力接栓がそれぞれ設けられ、前面が開口された箱状のケース本体と、その前面を開閉可能に覆う蓋体とを備え、前記ケース本体の上下左右両側部又は上下中央部に被取付部が形成され、前記被取付部のうち下側に位置する被取付部に対し蓋体の取付部が、蓋体を上開き可能となるように取り付けられ、前記被取付部及び取付部は前記蓋体に対し前記ケース本体を上下逆に取付可能となるように対称に設けられている電子機器用ケースのヒンジ構造において、前記被取付部と取付部とはヒンジ部材を介して取り付けられる構成とされ、前記ヒンジ部材が、前記被取付部に取り付けられる取付基部と、この取付基部の一端部より直交する方向に延びる支持部とを有し、この支持部が、取付基部に連接され長孔を有する矩形板形状の本体部と、この本体部に連接され半円板形状の先端部とで構成され、前記本体部の長孔にスライド可能に挿通される係合ピン部が前記取付部に形成され、前記係合ピン部は、前記長孔内において、蓋体の外周縁部が前記本体部に接触して蓋体の開放が規制される位置と、蓋体の外周縁部が前記先端部の外周縁に沿って移動可能となり蓋体の開放を許容する位置とを選択的に取りうることを特徴とする。
【手続補正４】
【補正対象書類名】明細書
【補正対象項目名】００１６
【補正方法】変更
【補正の内容】
【００１６】
本発明に係るＣＡＴＶアンプ用ダイカストケース１（電子機器用ケース）は、前面が開口された箱状のケース本体４と、その前面を開閉可能に覆う蓋体５とを備える。そして、現場により設備の入力側および出力側が異なる場合があるので、ケース本体４に対し蓋体５が上開き可能となるように、かつ蓋体５に対しケース本体４を上下逆に取付可能となる
ように取り付けられている。また、ケース本体４の左右外側面部に入力接栓２又は出力接栓３がそれぞれ設けられている。なお、ケース本体４は、例えばＣＡＴＶ用増幅ユニットが収容され、入力接栓２から供給されるＣＡＴＶ信号を増幅し、出力接栓３から後段の機器へ上記ＣＡＴＶ信号を伝送するものである。
【手続補正５】
【補正対象書類名】明細書
【補正対象項目名】００２６
【補正方法】変更
【補正の内容】
【００２６】
被取付部１１Ａ〜１１Ｄには、取付状態で上下方向となる長孔１１ａが形成されると共に、先端に外方（メッセンジャーワイヤ取付金具２１側）に突出する鍔状の係止部１１ｂ（図４、図６及び図７参照）が形成されている。図１〜図４に示すものでは、長孔１１ａを通じてボルト部材２２にてメッセンジャーワイヤ取付具２１が被取付部１１Ａ，１１Ｂに対し傾斜可能に取り付けられている。なお、長孔１１ａの外側の孔壁面は傾斜面となっており、ボルト部材２２を傾斜させてメッセンジャーワイヤ取付具２１を無理なく上開きに傾斜させることができるように構成されている。
【手続補正６】
【補正対象書類名】明細書
【補正対象項目名】００２９
【補正方法】変更
【補正の内容】
【００２９】
蓋体５に対しケース本体４を上下逆に反転させる際には、まず、ボルト部材１７を被固定部１２Ａ〜１２Ｄから取り外し、さらにヒンジ金具１５やメッセンジャーワイヤ取付金具２１を被取付部１１Ａ〜１１Ｄから取り外す。それから、ケース本体４の上下を逆にし、ケース本体４の被固定部１２Ａ〜１２Ｄと蓋体５の固定部１３Ａ〜１３Ｄとが対応する位置で、ボルト部材１７を取り付ける。そのボルト部材１７の取付け後、上側になった被取付部１１Ｃ，１１Ｄにメッセンジャーワイヤ取付金具２１を、下側になった被取付部１１Ａ，１１Ｂにヒンジ金具１５をそれぞれ取り付ける。これにより、入力側（入力接栓２）と出力側（出力接栓３）とを左右逆にすることが可能となる。この場合、蓋体５を反転しないので、反転の前後において、入力側と出力側とが左右逆になるだけで、蓋体５の開閉については変更がなく（上下逆にはならない、すなわち下開きとならない）、また、内部の正常作動を表示するＬＥＤ１６は下側に位置するままの状態が維持される。
【手続補正７】
【補正対象書類名】明細書
【補正対象項目名】００３６
【補正方法】変更
【補正の内容】
【００３６】
この例の場合には、第１の部材３２は、被取付部１１Ａ，１１Ｂ（又は１１Ｃ，１１Ｄ）にボルト部材３３にて取り付けられる鉛直部３２ａと、この鉛直部３２ａの上縁よりそれに直交する方向に延びる水平部３２ｂとを有する。一方、第２の部材３４は、第１の部材３２の水平部３２ｂにボルト部材２２にて取り付けられる取付基部３４ａと、取付基部３４ａの一側に屈曲部３４ｄを介して連接され第１の部材３２（水平部３２ｂ）の端縁に引っ掛かって係止される係止部３４ｂと、取付基部３４ａの他側に連接され水平部３２ｂとの間でボルト部材３３の締付けによりメッセンジャーワイヤＳを挟持する押圧部３４ｃ
とを有する。この場合には、前述した実施の形態とは異なり、ボルト部材２２が傾斜する必要はない。